(57)【要約】【課題】省動力化を図りつつ、メタン発酵槽から確実に重量異物を排出することができる廃棄物処理装置を提供することを課題とする。【解決手段】導入された廃棄物をメタン発酵するメタン発酵槽４を備えた廃棄物処理装置であって、閉塞を招来すると共に大動力が必要とされるポンプを用いること無く、メタン発酵槽４内底部に沈降した廃棄物中の重量異物を、掻き出し装置４ｘの掻き出し部４ｙにより、堆積させること無く一方向に向かって掻き出し、閉塞の問題を生じること無く排出口４ｊから排出する。【選択図】図２
2007229638.tif 000002
【特許請求の範囲】
【請求項１】
導入された廃棄物をメタン発酵するメタン発酵槽を備えた廃棄物処理装置であって、
前記メタン発酵槽は、槽内底部に沈降した前記廃棄物中の重量異物を一方向に向かって掻き出す掻き出し部を備えた掻き出し装置と、
この掻き出し装置により一方向に向かって掻き出された前記重量異物を排出する排出口と、を具備したことを特徴とする廃棄物処理装置。
【請求項２】
前記槽の下部は、前記一方向から見て下方に行くに従って細くなる下細り形状に構成されると共に、この下細り形状が前記一方向に延在する構成とされ、
この下細りとされた槽内底部に、前記掻き出し装置の前記掻き出し部が前記一方向に延在するように配置されることを特徴とする請求項１記載の廃棄物処理装置。
【請求項３】
前記槽内底部は、前記掻き出し装置の前記掻き出し部の下部側の外形に沿う溝形状とされていることを特徴とする請求項１又は２記載の廃棄物処理装置。
【請求項４】
前記掻き出し装置の前記掻き出し部は、前記一方向に延びるスクリューであることを特徴とする請求項１〜３の何れか一項に記載の廃棄物処理装置。
【請求項５】
前記メタン発酵槽の前記排出口の直下に、当該排出口からの排出物を固液分離する固液分離装置を備えることを特徴とする請求項１〜４の何れか一項に記載の廃棄物処理装置。
【請求項６】
前記固液分離装置は、スクリュープレスであることを特徴とする請求項５記載の廃棄物処理装置。
【発明の詳細な説明】
【技術分野】
【０００１】
本発明は、メタン発酵槽を備えた廃棄物処理装置に関する。
【背景技術】
【０００２】
廃棄物をメタン発酵するメタン発酵槽の型式は、竪型と横型に大別される。ここでいう竪型とは、例えば円筒形状の槽の軸心が鉛直方向に延びるものを言い、横型とは、例えば円筒形状の槽の軸心が水平方向に延びるものを言う。また、メタン発酵槽は、槽内の汚泥濃度により乾式（ＴＳ２０〜４０％程度）と湿式（ＴＳ１５％以下）に、メタン発酵温度により高温（５５°Ｃ前後）と中温（３７°Ｃ前後）に、運転方式により連続式と回分式（バッチ式）に、それぞれ区分される。廃棄物のメタン発酵では、下水等の汚泥や家畜糞尿、生ごみ、紙や草木等の有機性廃棄物が原料として利用されるが、それぞれの性状に適した方式が採用されている。
【０００３】
ここで、メタン発酵槽の型式に着目すると、ほぼ全ての有機性廃棄物は、竪型で対応可能であるが、横型のメタン発酵槽では、特に生ごみ単独の処理が困難である。生ごみ単独のメタン発酵の特徴としては以下が挙げられる。（１）生ごみには、貝殻、卵殻、土砂又は金属類等の重量異物が混入している。（２）生ごみは窒素濃度が高く、また、有機物分解率が高いことから、メタン発酵槽内のアンモニア濃度が高くなり、アンモニア阻害を受けやすい。よって、アンモニア阻害を回避するために、メタン発酵槽内の汚泥濃度を高く維持することができず、汚泥濃度を低くすることが必要である。なお、汚泥濃度を低くすると乾式での運転は困難であり湿式による運転が適している。（３）メタン発酵槽内の汚泥濃度を低く維持すると、重量異物がメタン発酵槽内で沈降し底部に堆積する。因みに、生ごみのメタン発酵で竪型を採用した場合には、重量異物は底部に沈降するが消化汚泥と共に槽外に排出されるので問題は無い。また、汚泥や家畜糞尿では、土砂等の重量異物が混入するが、生ごみほど有機物が分解しないため、重量異物が沈降し難く、横型の採用も可能である。また、紙や草木では、窒素濃度が低いため、汚泥濃度が高い乾式による運転が可能であり、重量異物が混入しても沈降しないため、横型でも問題ない。
【０００４】
このように、廃棄物を特に生ごみとし、横型のメタン発酵槽を採用した場合には、メタン発酵槽の横長の底部に堆積する重量異物を、メタン発酵槽の底部の端や側端部の排出口から積極的に排出することが必要となる。このような技術は以下の特許文献１に開示されている。この公報記載の技術は、横型のメタン発酵槽の側端部に排出口が設けられると共に、この排出口の下流側の排出配管にポンプが設けられ、当該ポンプを駆動することにより、槽内底部の消化汚泥を引き抜くというものである。この消化汚泥を引き抜くことにより重量異物も排出されることになる。
【特許文献１】特開２００３−３９０９９号公報
【発明の開示】
【発明が解決しようとする課題】
【０００５】
しかしながら、上記公報記載の技術にあっては、排出配管に重量異物が堆積しないように配管口径を大きくすると、消化汚泥が配管内を流れる速度が小さくなり、配管中に重量異物が堆積し、一方、配管内流速を高めようと配管口径を小さくすると、大きな重量異物が配管を閉塞させ、何れにしても排出の際に重量異物による閉塞が生じ、メタン発酵槽から重量異物を排出できないという問題を生じる。また、重量異物の堆積の防止を少しでも図るには、ポンプ動力を大きくしなければならないという問題もある。
【０００６】
本発明は、このような課題を解決するために成されたものであり、省動力化を図りつつ、メタン発酵槽から確実に重量異物を排出することが可能な廃棄物処理装置を提供することを目的とする。
【課題を解決するための手段】
【０００７】
本発明による廃棄物処理装置は、導入された廃棄物をメタン発酵するメタン発酵槽を備えた廃棄物処理装置であって、メタン発酵槽は、槽内底部に沈降した廃棄物中の重量異物を一方向に向かって掻き出す掻き出し部を備えた掻き出し装置と、この掻き出し装置により一方向に向かって掻き出された重量異物を排出する排出口と、を具備したことを特徴としている。
【０００８】
このような廃棄物処理装置によれば、閉塞を招来すると共に大動力が必要とされるポンプを用いること無く、メタン発酵槽内底部に沈降した廃棄物中の重量異物は、掻き出し装置の掻き出し部により、堆積すること無く一方向に向かって掻き出され、閉塞の問題を生じること無く排出口から排出される。このため、省動力化を図りつつ、メタン発酵槽から確実に重量異物が排出される。
【０００９】
ここで、槽の下部は、一方向から見て下方に行くに従って細くなる下細り形状に構成されると共に、この下細り形状が一方向に延在する構成とされ、この下細りとされた槽内底部に、掻き出し装置の掻き出し部が一方向に延在するように配置されていると、重量異物は下細り形状に従って沈降し、下細りとされた槽内底部に配置される掻き出し装置の掻き出し部に容易に導かれるため、メタン発酵槽から一層確実に重量異物が排出される。
【００１０】
また、槽内底部は、掻き出し装置の掻き出し部の下部側の外形に沿う溝形状とされていると、槽と掻き出し部との間のデッドスペースが低減されるため、槽内に留まること無くメタン発酵槽から一層確実に重量異物が排出される。
【００１１】
また、掻き出し装置の掻き出し部としては種々のものが挙げられるが、一方向に延びるスクリューを採用することが好ましい。
【００１２】
ここで、槽内底部の重量異物を一方向に向かって掻き出す掻き出し装置を備える構成は、所謂横型のメタン発酵槽に適用するのが好適である。このような横型のメタン発酵槽では、メタン発酵槽の排出口の直下に、当該排出口からの排出物を固液分離する固液分離装置を備える構成を採用できる。これは、横型のメタン発酵槽は竪型のメタン発酵槽に比して液位が低いため、メタン発酵槽の排出口の直下に固液分離装置を配置しても、この固液分離装置内に作用する圧力が竪型のメタン発酵槽に比して低く問題を生じないことによる。
【００１３】
また、固液分離装置としては種々のものが挙げられるが、スクリュープレスを採用することが好ましい。このスクリュープレスによれば、メタン発酵槽から作用する圧力を絞る（受け止める）構成のため、これがストッパとして機能し、メタン発酵槽からの排出物が溢れること無く且つメタン発酵槽の液面を下げること無く、良好に固液分離を行うことができる。因みに、ベルトプレス脱水機や遠心脱水機等を用いると、メタン発酵槽から作用する圧力を絞るストッパ機能が無いため、メタン発酵槽からの排出物が溢れると共にメタン発酵槽の液面が下がってしまうという問題を生じてしまう。
【発明の効果】
【００１４】
このように本発明による廃棄物処理装置によれば、省動力化を図りつつ、メタン発酵槽から確実に重量異物を排出することが可能となる。
【発明を実施するための最良の形態】
【００１５】
以下、本発明による廃棄物処理装置の好適な実施形態について図１〜図６を参照しながら説明する。なお、各図において、同一又は相当要素には同一の符号を付し、重複する説明は省略する。図１〜図４は、本発明の一実施形態を、図５は、本発明の他の実施形態を、図６は、本発明のさらに他の実施形態を各々示すものであり、先ず、図１〜図４を参照しながら一実施形態を説明する。
【００１６】
図１は、本発明の一実施形態に係る廃棄物処理装置を備えた廃棄物処理設備を示す構成図、図２は、図１中のメタン発酵槽を示す構成図、図３は、図１中の固液分離装置としてのスクリュープレスを示す正面断面構成図、図４は、図１中のメタン発酵槽より前段の他の構成を示す図である。
【００１７】
図１に示すように、廃棄物処理装置１００は、マンションの地下に設置され天然ガスで発電を行うコージェネレーション（Cogeneration）設備に併設されているもので、発生するバイオガスをコージェネレーションの補助燃料として有効利用すると共に、発生する消化汚泥を堆肥として利用できるものである。
【００１８】
この廃棄物処理装置１００は、収集ボックス１と、貯留タンク３と、メタン発酵槽（廃棄物処理装置）４と、固液分離装置としてのスクリュープレス（廃棄物処理装置）５と、排水ピット７と、排水処理設備８とを、この順に接続して備えると共に、スクリュープレス５に接続される汚泥乾燥機６と、除湿器１２と、脱臭装置１３とを、この順に接続して備え、さらに、メタン発酵槽４に接続される脱硫塔９と、ガスホルダ１０と、余剰ガス燃焼装置１１とを、この順に接続して備えている。そして、収集ボックス１の収集口、脱硫塔９、ガスホルダ１０、余剰ガス燃焼装置１１は地上に設置され、それ以外は地下に設置されている。
【００１９】
収集ボックス１は、投入される生ごみａを受け入れるものである。
【００２０】
貯留タンク３は、収集ボックス１からの生ごみａを、後段の排水処理設備８で発生する余剰汚泥と混合し、蒸気ｂを添加することで可溶化するものである。可溶化温度は、４０〜６０°Ｃ程度とするのが好ましい。また、蒸気ｂは、コージェネレーション設備で発生するものを用いるのが好ましいが、蒸気が発生しない設備では、別途蒸気ボイラを運転することで得るようにしても良い。また、低含水率の生ごみを処理する場合には、さらに水や処理水を添加する場合もある。
【００２１】
なお、図４に示すように、収集ボックス１の下部に生ごみ粉砕器２を付設し、収集ボックス１に投入された生ごみａを、生ごみ粉砕器２で粉砕してから貯留タンク３に導く場合もある。また、このように生ごみ粉砕器２を設ける場合には、貯留タンク３をメタン発酵槽４の上方に設置し、直接メタン発酵槽４に投入する場合もある。
【００２２】
再び図１に戻って、貯留タンク３の後段の投入ポンプＰは、貯留タンク３で可溶化された生ごみをメタン発酵槽４に投入するためのものである。この投入ポンプＰを破砕ポンプとし、ラインＬ１を介して貯留タンク３の内容物を循環させることで、可溶化を促進することができる。
【００２３】
メタン発酵槽４は、貯留タンク３からの可溶化生ごみをメタン発酵するものである。メタン発酵槽４は、発酵温度が３７°Ｃ前後の中温発酵域又は５５°Ｃ前後の高温発酵域になるように、温水又は蒸気ｃで保温又は加温が行われる。温水を用いる場合には、メタン発酵槽４をジャケット構造とし、コージェネレーション設備で発生する温水を供給するようにする。また、蒸気を用いる場合には、メタン発酵槽４に直接添加して調整するようにする。なお、メタン発酵槽４の温度は中温発酵域でも高温発酵域でも良いが、生ごみａ単独の処理では、メタン発酵槽４内のアンモニア濃度が高くなるため、安定した発酵及び排水処理の運転管理を考慮すると、中温発酵域で運転するのが好ましい。また、メタン発酵槽４の滞留時間は、７〜２０日程度とする。
【００２４】
メタン発酵槽４では、強力な撹拌は不要であるが、発酵を効率良く行うために、簡単な撹拌機構を設けることが好ましい。ここでは、横型のメタン発酵槽４が用いられているため（詳しくは後述）、水平型撹拌機（撹拌軸が水平方向に延びるもの）４ｒが用いられているが、竪型のメタン発酵槽を用いた場合には、懸垂型（撹拌軸が鉛直方向に延びるもの）とするのが好ましく、また、ポンプ撹拌やガス撹拌としても良く、要は、メタン発酵槽内を適度に撹拌できれば良い。なお、撹拌機を用いる場合には、撹拌軸に設けられた撹拌羽根が真上にきたときに、液面より出るようにすれば、メタン発酵槽に生成されるスカム破壊に効果的である。
【００２５】
メタン発酵により有機物が分解されると、生ごみに含まれている貝殻、卵殻、土砂又は金属類等の重量異物は、メタン発酵槽内で沈降しやすくなる。生ごみ単独のメタン発酵の場合、生ごみの質にもよるが、有機物分解率は７０〜９０％であり、例えば、ＴＳ１０％、ＶＳ９％でメタン発酵した場合には、消化汚泥はＴＳ１．９〜３．７％、ＶＳ０．９〜２．７％程度となる。重量異物の沈降のしやすさは、汚泥の粘度に影響されるが、汚泥の粘度は固形物濃度の低下と共に低下するため、重量異物はメタン発酵槽で沈降しやすくなる。
【００２６】
ここで、本実施形態においては、前述したように、メタン発酵槽はマンションの地下に設置されている。このため、竪型のメタン発酵槽に比して高さを押えられる横型のメタン発酵槽４が用いられている。ここでいう竪型とは、例えば円筒形状の槽の軸心が鉛直方向に延びるものを言い、横型とは、例えば円筒形状の槽の軸心が水平方向に延びるものを言う。このような横型のメタン発酵槽では、横長の槽の側端部や側端部側の底部に排出口が設けられているため、横長の槽底部に亘って沈降した消化汚泥及び重量異物を積極的に排出口に導かないと底部に堆積してしまう。また、ポンプにより消化汚泥及び重量異物を吸い出そうとすると、前述したように、閉塞の問題を生じる。
【００２７】
そこで、特に本実施形態あっては、消化汚泥及び重量異物の堆積の虞が無いと共に閉塞の問題を生じることが無い横型のメタン発酵槽４が用いられている。この横型のメタン発酵槽４を図２に示す。
【００２８】
図２は、メタン発酵槽を示す構成図であり、図２（ａ）は、図１中のメタン発酵槽を示す側断面構成図、図２（ｂ）は、メタン発酵槽を示す正面断面構成図である。
【００２９】
この横型のメタン発酵槽４は、両端が閉じられ横置きされた断面非円形形状のの筒状体に、水平型撹拌機４ｒと、掻き出し装置４ｘとを備えて成る。このメタン発酵槽４の下部４ｂより上側の上部・中部４ａは、多少下方まで延びる略半円筒形状（多少軸心より下方まで延びる円弧形状）に構成され、下部４ｂは、上部・中部４ａの略半円筒形状の下部に接線方向に連設され、図２（ａ）に示すように、筒状体の軸線方向から見て下方に行くに従って細くなる下細り形状に構成されると共に、この下細り形状が、図２（ｂ）に示すように、筒状体の軸線方向に延在する構成とされている。この下部の機能については後述する。
【００３０】
また、槽底部は、一方側の端部（図２（ｂ）の右端部）が、上部・中部４ａ及び下部４ｂよりさらに一方側に延出する構成とされている。この延出する延出部４ｈは、円筒形状に構成されている。そして、この延出部４ｈを含む槽内底部は、軸線方向に延在する溝４ｃを有する構成とされている。すなわち、槽内底部は、溝形状とされている。
【００３１】
また、メタン発酵槽４にあっては、上部・中部４ａにおける上記延出部４ｈとは反対側の端部（図２（ｂ）の左端部）の上部に、貯留タンク３からの可溶化生ごみを導入するための導入口４ｉが設けられ、延出部４ｈの底部に、槽内の消化汚泥及び重量異物を排出するための排出口４ｊが設けられ、上部・中部４ａにおける導入口４ｉとは反対側の端部（図２（ｂ）の右端部）の上部に、槽内で発生するバイオガスを排出するためのバイオガス排出口４ｋが設けられている。
【００３２】
水平型撹拌機４ｒは、メタン発酵を効率良く行うためのものであり、周面に撹拌羽根４ｄを備え筒状体の軸心に沿って延びる（水平方向に延びる）撹拌軸４ｅを、槽外の電動機４ｆにより回転する構成とされている。この水平型撹拌機４ｒの撹拌軸４ｅの槽外の軸受４ｇには、メカニカルシールやグランドパッキン等のシールが用いられ、消化汚泥が軸受４ｇから漏れない構造とされている。
【００３３】
掻き出し装置４ｘは、槽内底部に沈降した生ごみ中の消化汚泥及び重量異物を一方向に向かって（排出口４ｊに向かって）掻き出すためのものであり、溝４ｃに沿って配置される掻き出し部としてのスクリュー４ｙを、延出部４ｈの槽外端部に設置された電動機４ｍにより回転する構成とされ、スクリュー４ｙは、消化汚泥及び重量異物を一方向に向かって（排出口４ｊに向かって）掻き出すように電動機４ｍにより駆動される。また、スクリュー４ｙは、槽内に導入される重量異物の割合に応じて、連続的又は間欠的に駆動される。このスクリュー４ｙの軸受４ｎには、メカニカルシールやグランドパッキン等のシールが用いられ、消化汚泥が軸受４ｎから漏れない構造とされている。スクリュー径は２００ｍｍ以上が好ましい。これは、スクリュー径が２００ｍｍ未満であると、貝殻等が噛み込む頻度が増加するからである。
【００３４】
そして、槽内底部の溝４ｃは、槽とスクリュー４ｙとの間のデッドスペースを低減すべく、図２（ａ）に示すように、スクリュー４ｙの下部側の外形に沿う形状とされている。
【００３５】
なお、ここでは、特に好ましいとして、掻き出し装置４ｘをスクリュー４ｙを有する装置としているが、例えば、ベルトコンベア等を用いることも可能である。
【００３６】
再び図１に戻って、スクリュープレス５は、メタン発酵槽４からの排出物（消化汚泥及び重量異物）を固液分離するためのもので、メタン発酵槽４の排出口４ｊの直下に配置されている。これは、横型のメタン発酵槽４は竪型のメタン発酵槽に比して液位が低いため、メタン発酵槽４の排出口４ｊの直下にスクリュープレス５を配置しても、このスクリュープレス５内に作用する圧力が竪型のメタン発酵槽に比して低く問題を生じないことによる。なお、メンテナンスを考慮してメタン発酵槽４とスクリュープレス５との間に仕切弁を設けても良い。
【００３７】
このスクリュープレス５は、図３に示すように、内部に、回転するスクリュー５ａを備え、このスクリュー５ａを収容するケーシング５ｂに、内外を連通する所定径の選別孔（又はスリット）５ｃを多数有し、投入口５ｄから投入されたメタン発酵槽４からの排出物を、前半部で重力脱水し、後半部で、スクリュー５ａの押し出しによる圧搾力と回転による剪断力で脱水して、脱水汚泥（ケーキ）と排水（分離液）とに分離し、排水を排水口５ｅから排出する一方で、脱水汚泥を、送り方向の終端に設けられている脱水汚泥排出口５ｆから排出する。
【００３８】
ここで、メタン発酵槽４からの排出物を、脱水汚泥と排水とに効果的に分離するには、スクリュープレス５の選別孔径（又はスリット幅）は１ｍｍ以下であることが好ましい。また、スクリュープレス５に消化汚泥を供給する際に、図１に示すように、高分子凝集剤ｄと水ｅとを混合した高分子凝集剤液を添加しても良い。そして、固液分離した汚泥は、含水率７０〜８０％程度の脱水汚泥となる。
【００３９】
なお、ここでは、特に好ましいとして、固液分離装置をスクリュープレスとしているが、スクリュープレスと略同様な作用・効果を奏する濃縮装置や脱水機であれば良く、例えば多重円板脱水機等を用いることも可能である。
【００４０】
汚泥乾燥機６は、スクリュープレス５で固液分離した脱水汚泥を乾燥させるためのものである。この汚泥乾燥機６は、直接乾燥式でも構わないが、設置場所がマンションの地下であることを考慮すると、排ガス量が少なく、脱臭処理が行いやすい蒸気ｆを用いた間接乾燥式が好ましい。
【００４１】
除湿器１２は、汚泥乾燥機６からの乾燥排ガスを除湿するためのもので、クーラー１５により乾燥排ガスを除湿する。
【００４２】
脱臭装置１３は、除湿器からの除湿ガスを脱臭するためのものである。
【００４３】
排水ピット７は、スクリュープレス５で固液分離した排水を一旦貯留するものである。
【００４４】
排水処理設備８は、排水ピット７からの排水を所定に浄化処理するためのものであり、流量調整槽８ａと、曝気槽８ｂと、沈殿槽８ｃとを備えている。流量調整槽８ａは、排水ピット７からの排水の流量を調整するためのものであり、曝気槽８ｂは、流量調整槽８ａからの排水を、ブロワＢからの空気により曝気し好気性処理するためのものであり、沈殿槽８ｃは、曝気槽８ｂからの処理水を固液分離するためのものである。この沈殿槽８ｃは、底部に沈降した余剰汚泥を貯留タンク３に戻す一方で、上澄水を処理水ピット１６に供給する。
【００４５】
脱硫塔９は、メタン発酵槽４で発生したバイオガスを脱硫するためのものである。
【００４６】
ガスホルダ１０は、脱硫塔９で脱硫された脱硫バイオガスを一旦貯留するためのものである。このガスホルダ１０には、脱硫バイオガスを天然ガスｇと混合するためのラインＬ２が接続されている。
【００４７】
余剰ガス燃焼装置１１は、脱硫バイオガスのうちの余剰ガスを燃焼するためのものである。
【００４８】
次に、このように構成された廃棄物処理装置１００の作用について説明する。収集ボックス１に投入された生ごみａは、貯留タンク３で可溶化され、この可溶化生ごみは、メタン発酵槽４に導入され、水平型撹拌機４ｒの撹拌羽根４ｄによる撹拌によって、効率良くメタン発酵される。
【００４９】
ここで、槽下部４ｂは、軸線方向から見て下方に行くに従って細くなる下細り形状に構成されると共に、この下細り形状が軸線方向に延在する構成とされているため、生ごみ中の消化汚泥及び重量異物は下細り形状に従って沈降し、容易に槽内底部のスクリュー４ｙに導かれる。なお、下細り形状は、その傾斜面が立つように急峻とすると、消化汚泥及び重量異物は一層容易にスクリュー４ｙに導かれる。
【００５０】
この槽内底部に導かれた消化汚泥及び重量異物は、スクリュー４ｙの駆動により、堆積すること無く強制的に排出口４ｊに向かって掻き出されていき、排出物として排出口４ｊから排出される。このように、掻き出し装置４ｘを用いることにより、メタン発酵槽４から確実に消化汚泥及び重量異物が排出される。なお、排出口４ｊは、大きな重量異物でも詰まらない大きさに設定されている。
【００５１】
このスクリュー４ｙによる掻き出しにあっては、槽内底部におけるスクリュー４ｙの下部側を収容する溝４ｃが、スクリュー４ｙの下部側の外形に沿う溝形状とされ、槽とスクリュー４ｙとの間のデッドスペースが低減されているため、消化汚泥及び重量異物は槽内に留まること無く一層確実に排出口４ｊから排出される。
【００５２】
メタン発酵槽４の排出口４ｊからの排出物は、スクリュープレス５で脱水汚泥と排水に分離される。このスクリュープレス５にあっては、メタン発酵槽４から作用する圧力を絞る（受け止める）構成のため、これがストッパとして機能し、メタン発酵槽４からの排出物が溢れること無く且つこれによりメタン発酵槽４の液面を下げること無く、良好に固液分離が行われる。因みに、ベルトプレス脱水機や遠心脱水機等を用いると、メタン発酵槽４から作用する圧力を絞るストッパ機能が無いため、メタン発酵槽４からの排出物が溢れると共にメタン発酵槽４の液面が下がってしまうという問題を生じる。
【００５３】
また、このスクリュープレス５にあっては、その内部にメタン発酵槽４の液位の分だけ圧力が作用するため、通常よりも固液分離しやすくなっている。
【００５４】
そして、スクリュープレス５で良好に分離された脱水汚泥は、汚泥乾燥機６で乾燥され、乾燥汚泥は、堆肥ｈとして利用される。
【００５５】
一方、汚泥乾燥機６で生じる乾燥排ガスは、除湿器１２で除湿され、脱臭装置１３で脱臭されてから、大気に放出される。
【００５６】
また、スクリュープレス５からの排水は、一旦排水ピット７で貯留されてから排水処理設備８に供給される。この排水は、流量調整槽８ａで流量が調整され、曝気槽８ｂで曝気され、沈殿槽８ｃで固液分離され、余剰汚泥は貯留タンク３に戻されて再処理に供され、一方、上澄水は処理水ピット１６で一旦貯留されてから後段に供される。
【００５７】
また、メタン発酵槽４で発生したバイオガスは、脱硫塔９で脱硫されてからガスホルダ１０に一旦貯留され、脱硫バイオガスは、ラインＬ２を介して天然ガスｇと混合され、コージェネレーション設備で、電気、蒸気、温水等のエネルギーに変換されマンション内に供給される。
【００５８】
このように、本実施形態においては、閉塞を招来すると共に大動力が必要とされるポンプを用いること無く、メタン発酵槽４内底部に沈降した生ごみ中の重量異物が、掻き出し装置４ｘのスクリュー（掻き出し部）４ｙにより、堆積すること無く一方向に向かって掻き出され、閉塞の問題を生じること無く排出口４ｊから排出される。このため、省動力化を図りつつ、メタン発酵槽４から確実に重量異物を排出することが可能とされている。
【００５９】
図５は、本発明の他の実施形態に係る廃棄物処理装置を構成するメタン発酵槽を示す構成図であり、図５（ａ）は、メタン発酵槽の側断面構成図、図５（ｂ）は、メタン発酵槽の正面断面構成図である。
【００６０】
この実施形態のメタン発酵槽１４が、図２に示したメタン発酵槽４と違う点は、下部４ｂの上部に連設され略半円筒形状を成す上部・中部４ａを、四角筒形状の底部を開放した形の上部・中部１４ａに代えた点である。
【００６１】
このように構成されたメタン発酵槽１４を用いても、図２に示したメタン発酵槽４と同様な作用・効果を奏するというのはいうまでもない。
【００６２】
図６は、本発明のさらに他の実施形態に係る廃棄物処理装置を構成するメタン発酵槽の底部を示す構成図であり、以下の図６（ａ）〜図６（ｄ）に示す構成を採用するようにしても良い。
【００６３】
図６（ａ）に示すメタン発酵槽２４は、図２に示したメタン発酵槽４の底部の溝４ｃが無いものである。図６（ｂ）に示すメタン発酵槽３４は、図６（ａ）に示したメタン発酵槽２４の底部の幅を多少広げ、この広げた底部に、スクリュー（掻き出し部）４ｙを幅方向に複数個並設したものである。図６（ｃ）に示すメタン発酵槽４４は、図６（ｂ）に示したメタン発酵槽３４の底部を、並設されたスクリュー４ｙの下部側の外形に沿う溝４４ｃを有する構成としたものである。図６（ｄ）に示すメタン発酵槽５４は、図２及び図５に示したメタン発酵槽４，１４の下部を、上部・中部４ａ，１４ａをそのまま下方に延ばした幅広の下部とし、この幅広の底部に、スクリュー４ｙを幅方向に多数個並設したものである。なお、図６（ｄ）に示すメタン発酵槽５４にあっては、図６（ｃ）に示したメタン発酵槽４４と同様に、並設されたスクリュー４ｙの下部側の外形に沿う溝４４ｃを槽底部に設けるようにしても良い。
【００６４】
以上、本発明をその実施形態に基づき具体的に説明したが、本発明は上記実施形態に限定されるものではなく、例えば、上記実施形態においては、特に好ましいとして、廃棄物を生ごみとしているが、生ごみ以外の廃棄物に対しても適用可能である。
【００６５】
また、メタン発酵槽の形状は、上記実施形態の形状に限定されるものではなく、例えば六角筒等の形状であっても良い。
【００６６】
また、掻き出し装置を備える構成は、所謂竪型のメタン発酵槽に対しても適用可能である。
【００６７】
また、上記実施形態においては、メタン発酵槽の底部とこれより上側の部分（上部・中部及び下部）とを一体としているが、底部を別体として溶接接合するようにしても良く、また、フランジ接続等としても良い。
【図面の簡単な説明】
【００６８】
【図１】本発明の一実施形態に係る廃棄物処理装置を備えた廃棄物処理設備を示す構成図である。
【図２】図１中のメタン発酵槽を示す構成図である。
【図３】図１中の固液分離装置としてのスクリュープレスを示す正面断面構成図である。
【図４】図１中のメタン発酵槽より前段の他の構成を示す図である。
【図５】本発明の他の実施形態に係る廃棄物処理装置を構成するメタン発酵槽を示す構成図である。
【図６】本発明のさらに他の実施形態に係る廃棄物処理装置を構成するメタン発酵槽の底部を示す構成図である。
【符号の説明】
【００６９】
４，１４，２４，３４，４４，５４…メタン発酵槽、４ｂ…槽の下部、４ｃ，４４ｃ…溝、４ｊ…排出口、４ｘ…掻き出し装置、４ｙ…スクリュー（掻き出し部）、５…スクリュープレス（固液分離装置）、１００…廃棄物処理装置、ａ…生ごみ（廃棄物）。
【図１】
2007229638.tif 000003
【図２】
2007229638.tif 000004
【図３】
2007229638.tif 000005
【図４】
2007229638.tif 000006
【図５】
2007229638.tif 000007
【図６】
2007229638.tif 000008